(57)【要約】【課題】全体処理による使用と局所処理による使用の両方に適している送風式薬剤放散装置とする。【解決手段】装置本体１にファン１３と薬剤１４を設け、そのファン１３を駆動することで薬剤を含有した空気を吐出口１２から吐出する送風式の薬剤放散部と、流入口２０と流出口２１を有した長尺で扁平な放出体２を備え、この放出体２を装置本体１に収納姿勢と張り出し姿勢に亘って上下回動自在に連結し、その放出体２を収納姿勢とすることで薬剤を含有した空気を吐出口１２から放出して全体処理による使用に適し、前記放出体２を張り出し姿勢とすることで、その放出体２を狭い空間に挿入して薬剤を放散でき、局所処理による使用に適するようにした送風式薬剤放散装置。【選択図】図４
2008220267.tif 000002
【特許請求の範囲】
【請求項１】
吸込口１１と吐出口１２を有した装置本体１にファン１３と薬剤１４を設け、そのファン１３を駆動することで薬剤を含有した空気を吐出口１２から吐出する送風式の薬剤放散部と、
流入口２０と流出口２１を有した長尺で扁平な放出体２を備え、
前記装置本体１に放出体２が連結手段３で収納姿勢と張り出し姿勢とに亘って上下回動自在に連結され、
前記放出体２が収納姿勢の時には、装置本体１に放出体２が重なり合い、
前記放出体２が張り出し姿勢の時には、前記吐出口１２と流入口２０が連通し、流出口２１は装置本体１から離隔した位置となるようにしたことを特徴とする送風式薬剤放散装置。
【請求項２】
放出体２の張り出し姿勢は、その放出体２が装置本体１に対して横向きの姿勢である請求項１記載の送風式薬剤放散装置。
【請求項３】
放出体２の張り出し姿勢は、その放出体２が装置本体１に対して縦向きの姿勢である請求項１記載の送風式薬剤放散装置。
【請求項４】
放出体２が収納姿勢の時に、吐出口１２が直接外部に開口するようにした請求項１〜３いずれか１項記載の送風式薬剤放散装置。
【発明の詳細な説明】
【技術分野】
【０００１】
本発明は、芳香、消臭、害虫防除、防黴防菌などの目的で使用される送風式薬剤放散装置に関する。
【背景技術】
【０００２】
従来から種々の送風式薬剤放散装置が提案されている。
例えば、特許文献１，２に記載された送風式薬剤放散装置が提案されている。
前述の特許文献１に記載された送風式薬剤放散装置は、チャンバ内に薬剤保持体とファンを設け、そのファンを駆動することで吸気口からチャンバ内に外気を取り入れ、薬剤（害虫防除成分）を含んだ空気を排気口から外部に放出するようにしてある。
前述の特許文献２に記載された送風式薬剤放散装置は、縦長で薄い扁平の容器内に、薬剤パネルとファンを設け、そのファンを駆動することで吸い込み口から空気を容器内に吸い込み、薬剤を含む空気を吹き出し口から容器外に放出するようにしてある。
【０００３】
【特許文献１】特開２００１−１９７８５６号公報
【特許文献２】登録実用新案公報第３０４０５１３号
【発明の開示】
【発明が解決しようとする課題】
【０００４】
前述した送風式薬剤放散装置を居住空間で使用する場面として、台所、居間、寝室など居室空間の全体処理による使用と、限られた部分の局所処理による使用に大別される。
前記局所処理場面として、害虫防除について、害虫が生息している場所、害虫による被害場所、例えばゴキブリ、アリなどの匍匐害虫の好む住処である暗くて湿気の多い場所（流しの排水溝など）、暗くて狭い場所（冷蔵庫、食器棚、レンジなどと床面との空間、壁面との空間、侵入口である穴など）などが挙げられる。
また、害虫個体や害虫集団、例えば蚊、ハエなどの飛翔害虫やゴキブリ、アリなどの匍匐害虫に向かって直接処理する、なども挙げられる。
【０００５】
前述した特許文献１に開示された送風式薬剤放散装置は、全体処理による使用に適するが、局所処理による使用には適さない。特に、狭い空間の処理による使用には適さない。
すなわち、特許文献１に開示した送風式薬剤放散装置のチャンバは幅広く、高い大きさであるから、狭い空間に挿入することができないので、狭い空間に薬剤を効率良く放散することができない。
【０００６】
前述した特許文献２に開示された送風式薬剤放散装置は、容器が縦長で薄い扁平であるから、狭い空間に容器を挿入して薬剤を効率良く放散することができ、前述した局所処理による使用ができる。
しかし、容器内に電池室、制御室、また薬剤パネル、ファンや外気通過路の空間を有し、その容器を薄くする（高さ寸法を小さくする）には限度があり、より狭い空間に容器を挿入できないので、局所処理による使用に十分対応できない。
また、容器が縦長であるから細長い設置スペースが必要で、前述した全体処理による使用には適さない。
また、容器が縦長で大きいので持ち運びや保管が面倒である。
【０００７】
本発明の目的は、全体処理による使用と局所処理による使用の両方に適していると共に、局所処理による使用に十分対応でき、しかもコンパクトにして持ち運びや保管を容易にできるようにした送風式薬剤放散装置とすることである。
【課題を解決するための手段】
【０００８】
第１の発明は、吸込口１１と吐出口１２を有した装置本体１にファン１３と薬剤１４を設け、そのファン１３を駆動することで薬剤を含有した空気を吐出口１２から吐出する送風式の薬剤放散部と、
流入口２０と流出口２１を有した長尺で扁平な放出体２を備え、
前記装置本体１に放出体２が連結手段３で収納姿勢と張り出し姿勢とに亘って上下回動自在に連結され、
前記放出体２が収納姿勢の時には、装置本体１に放出体２が重なり合い、
前記放出体２が張り出し姿勢の時には、前記吐出口１２と流入口２０が連通し、流出口２１は装置本体１から離隔した位置となるようにしたことを特徴とする送風式薬剤放散装置である。
【０００９】
第２の発明は、第１の発明において、放出体２の張り出し姿勢は、その放出体２が装置本体１に対して横向きの姿勢である送風式薬剤放散装置である。
【００１０】
第３の発明は、第１の発明において、放出体２の張り出し姿勢は、その放出体２が装置本体１に対して縦向きの姿勢である送風式薬剤放散装置である。
【００１１】
第４の発明は、第１〜第３いずれか１つの発明において、放出体２が収納姿勢の時に、吐出口１２が直接外部に開口するようにした送風式薬剤放散装置である。
【発明の効果】
【００１２】
請求項１に係る発明によれば、装置本体１に対して放出体２を収納姿勢とすれば、薬剤を含有した空気は装置本体１の近くから外部に放散できるし、装置本体１に放出体２が重なり合っているから小さな設置スペースで良いから、全体処理による使用に適している。
また、装置本体１に対して放出体２を張り出し姿勢とすれば、その放出体２を狭い空間に挿入して薬剤を効率良く放散できるので、局所処理による使用に適している。
また、放出体２を、狭い空間に対応して薄く（高さ寸法を小さく）できるので、局所処理による使用に十分に対応できる。
【００１３】
したがって、全体処理による使用と局所処理による使用の両方に適していると共に、局所処理により使用に十分に対応でき、しかもコンパクトにして持ち運びや保管を容易にできる。
【００１４】
請求項２に係る発明によれば、装置本体１に対して放出体２が横向きの姿勢となるので、床と物との間の狭い空間に放出体２を挿入して薬剤を効率良く放散できる。
【００１５】
請求項３に係る発明によれば、装置本体１に対して放出体２が縦向きの姿勢となるので、装置本体１の上方や下方の狭い空間に放出体２を挿入して薬剤を効率良く放散できる。
【００１６】
請求項４に係る発明によれば、放出体２が収納姿勢の時に薬剤を含有した空気は吐出口１２から直接放出され、放出体２内を流通しないので、その空気に含有した薬剤のほぼ全量を外部に放散できる。
【発明を実施するための最良の形態】
【００１７】
本発明の第１の実施の形態を図１〜図４に基づいて説明する。
装置本体１に放出体２を連結手段３で図１、図２に示す収納姿勢と図３、図４に示す張り出し姿勢とに亘って上下回動自在に連結してある。
前記装置本体１は空気流通路１０を有し、その空気流通路１０は吸込口１１と吐出口１２で外部に開口し、ファン１３を駆動することで吸込口１１から空気を吸い込み、吐出口１２から吐出する。
前記装置本体１には薬剤１４が設けてあり、前述のファン１３を電池１５を電源として駆動することで空気流通路１０を流通する空気が薬剤１４に触れて薬剤（有効成分）を含有した空気として吐出口１２から吐出する。
要するに、装置本体１にファン１３と薬剤１４を設けることで送風式の薬剤放散部としてある。
【００１８】
前記放出体２は長尺で扁平な筒形状で、流入口２０と流出口２１を連通する流通路２ａを有している。
この放出体２が図１、図２に示す収納姿勢であると、装置本体１と放出体２は重なり合い、その放出体２の流入口２０は装置本体１の吐出口１２と離れ、その吐出口１２は外部に開口する。
前記放出体２が図３、図４に示すように張り出し姿勢であると、放出体２の流入口２０と装置本体１の吐出口１２が連通し、流出口２１が装置本体１から離隔した位置となる。
【００１９】
このようであるから、装置本体１に対して放出体２を図１、図２に示す収納姿勢としてファン１３を駆動することで、薬剤を含有した空気は装置本体１の吐出口１２から外部に直接放散され、その薬剤を含有した空気が流通する経路が短く、その空気に含有した薬剤が経路に付着することがなく、外部に放散する薬剤の量が少なくなることがなく、ほぼ全量の薬剤を外部に放散することが可能である。
しかも、装置本体１に対して放出体２が重なり合っているので、全長が短く、設置スペースを小さくできる。
これらが相俟って、全体処理による使用に適する送風式薬剤放散装置である。
例えば、居室空間のテーブル等の上に置いて居室空間全体に薬剤を放散して居室空間の全体処理に使用する際に、その薬剤を居室空間の全体に効率良く放散することができる。
【００２０】
また、前述のように装置本体１に対して放出体２を収納姿勢とすることで、装置全体がコンパクトになり、持ち運びや保管を容易にできる。
【００２１】
前記装置本体１に対して放出体２を図３、図４に示す張り出し姿勢としてファン１３を駆動することで、薬剤を含有した空気は装置本体１の吐出口１２から放出体２の流入口２０に流入し、その放出体２の流出口２１から外部に放散されるから、装置本体１から遠く離れた位置（流出口２１）から薬剤を外部に放散することができ、局所処理による使用に適する送風式薬剤放散装置である。
【００２２】
この実施の形態では、放出体２が張り出し姿勢の時に装置本体１と水平に横向きの姿勢となる。つまり、放出体２は装置本体１に対して１８０度の範囲で上下方向に回動自在としてある。
このようであるから、放出体２を張り出し姿勢とすることで、冷蔵庫、食器棚、レンジなどの物と床面との間の上下寸法の小さな狭い空間、前記物と壁面との間の左右寸法の小さな狭い空間に、放出体２を挿入して、その狭い空間の奥に向けて薬剤を含有した空気を放出することで、その狭い空間に薬剤を効率良く放散することができる。
また、放出体２は空気が流通するだけであるから、その放出体２を狭い空間に対応して薄く（高さ寸法を小さく）できるので、局所処理による使用に十分対応できる。
【００２３】
前記連結手段３は、装置本体１に設けた突起部３０を備え、この突起部３０は円弧状の外周面３０ａを有し、その外周面３０ａに吐出口１２が開口している。
前記放出体２の流入口２０側には、前記突起部３０の長手方向両端面３０ｂと対向した一対の突片３１が設けてあり、この一対の突片３１間に突起部３０が回転可能に入り込み、突片３１と突起部３０が軸３２で上下回転自在に連結される。
前記放出体２の流入口２０の上下開口縁には、前記突起部３０の外周面３０ａに接する円弧状の上下一方の一側壁３３と直線状の上下他方の他側壁３４が設けてある。
前記放出体２の流入口２０の左右開口縁には前記一対の突片３１が設けられ、この一対の突片３１は前記一側壁３３、他側壁３４よりも突出している。
【００２４】
前記放出体２が収納姿勢の時には、放出体２は突起部３０における吐出口１２の開口部１２ａ側（図２で左側）と反対側（図２で右側）に位置し、その一側壁３３、他側壁３４は吐出口１２の開口部１２ａと離れて吐出口１２は外部に直接開口する。
【００２５】
前記放出体２が張り出し姿勢の時には、放出体２は突起部３０における吐出口１２の開口部１２ａ側（図４で左側）に位置し、その一側壁３３と他側壁３４が突起部３０の外周面３０ａにおける吐出口１２の開口部１２ａの上下にそれぞれ接し、吐出口１２と流入口２０が連通する。
【００２６】
次に、各部の具体形状を説明する。
前記装置本体１は、上面板１６と下面板１７と一対の側面板１８と端面板１９で扁平な矩形箱形状で、その上面板１６に吸込口１１が形成してあると共に、前記突起部３０が設けてあり、吐出口１２は突起部３０を貫通して外部に開口している。
前記装置本体１内は仕切壁１ａでファン収容室１ｂと電池収容室１ｃに区画され、そのファン収容室１ｂにファン１３と、そのファン１３を駆動するモータ１３ａが設けてある。
前記電池収容室１ｃには電池１５が設けられ、この電池１５によってファン１３が駆動される。
前記ファン収容室１ｂが吸込口１１と吐出口１２に開口連通して前述の空気流通路１０を形成している。
【００２７】
前記薬剤１４は薬剤含浸体１４ａに含浸され、その薬剤含浸体１４ａの外周にリング体１４ｂが設けてある。
前記上面板１６の吸込口１１の周囲に沿って薬剤取付部１６ａが形成され、この薬剤取付部１６ａに薬剤１４のリング体１４ｂを取付けてある。
【００２８】
前記放出体２は第１横板２２と第２横板２３と一対の縦板２４で扁平な矩形状で、その第１横板２２と連続して一側壁３３が設けられ、第２横板２３と連続して他側壁３４が設けてあり、一対の縦板２４と連続して一対の突片３１が設けてある。
前記第１・第２横板２２，２３（放出体２）の幅は装置本体１の薬剤１４の平面大きさよりも大きく、図１，２に示すように収納姿勢の時に薬剤１４の上面に接して閉塞してしまい、空気を吸い込みできなくなってしまうので、第１横板２２に幅方向に連続した溝２２ａを形成し、この溝２２ａを通して空気を吸い込みできるようにしてある。
【００２９】
なお、放出体２又は装置本体１にストッパを設け、放出体２が収納姿勢の時にストッパが装置本体１又は放出体２に当接して放出体２と薬剤１４との間に隙間を形成し、その隙間を通して空気を吸い込むようにしても良い。
また、放出体２の幅を薬剤１４の平面大きさよりも小さくして薬剤１４の上面が全て放出体２で閉塞されないようにすることで、空気を吸い込みできるようにしても良い。
【００３０】
前述の説明では、放出体２の張り出し姿勢を装置本体１と水平な横向き姿勢としたが、装置本体１と直角な縦向き姿勢としても良い。
例えば、連結手段３を図５に示すように、放出体２の他側壁３４が突起部３０の外周面３０ａに回動自在に接した円弧形状とし、突起部３０の上面寄りに吐出口１２を開口させる。
そして、放出体２が図５（ａ）に示す収納姿勢の時には他側壁３４が吐出口１２の開口部１２ａを越えて吐出口１２が直接開口するようにする。
前記放出体２が図５（ｂ）に示すように縦向き姿勢の時には他側壁３４が吐出口１２の開口部１２ａよりも下方に接し、吐出口１２が流入口２０と連通するようにする。
【００３１】
このようにすれば、装置本体１から遠く離れた上方位置（流出口２１）から薬剤を外部に放散することができ、装置本体１を置いた場所よりも高い位置の狭い空間に放出体２を挿入して薬剤を放散できる。また、高い場所に置いた装置本体１よりも低い位置の狭い空間に放出体２を挿入して薬剤を放散できる。
【００３２】
また、放出体２の張り出し姿勢を、前述の横向き姿勢及び縦向き姿勢としても良い。
例えば、連結手段３を図６、図７に示すように、下面が開口した箱体の左右面に孔３５を有する受部材３６と、この受部材３６の孔３５に回転自在に取付けた左右の筒体３７を有し、その筒体３７を放出体２に、その出口３７ａが流入口２０に連通するように連結する。
このようにすれば、放出体２が横向き姿勢、縦向き姿勢及び収納姿勢のいずれであっても吐出口１２が放出体２の流入口２０に連通するので、放出体２の張り出し姿勢を、前述した横向き姿勢、縦向き姿勢とすることができる。
【００３３】
前記連結手段３を具体的に説明する。
前記受部材３６は装置本体１の吐出口１２に嵌合又は一体的に設けられ、その孔３５の周縁にリング状の突部３５ａが設けてある。
前記筒体３７は、前記リング状の突部３５ａに嵌合する筒３７ｂにキャップ３７ｃをしたもので、その出口３７ａに沿って矩形状の筒部３７ｄが設けてある。
前記放出体２の流入口側には幅方向中央に凹部２５が形成され、流入口２０が２つに分離してあり、この各流入口２０に前記各筒部３７ｄを嵌合することで放出体２と筒体３７を連結するようにしてある。
【００３４】
このようであるから、受部材３６を装置本体１に設け、その突部３５ａに筒体３７を嵌合して回転自在に取付け、この後に放出体２の流入口２０を筒部３７ｄに嵌合して連結することで、放出体２を装置本体１に上下回動自在に取付けできる。
【００３５】
図示は省略するが、前記筒体３７を放出体２と一体的としても良い。例えば、図６に示す放出体２の流入口２０を閉塞し、凹部２５の対向端面に孔を形成して流入口２０とし、その孔をリング状の突部３５ａに嵌合して放出体２を受部材３６に上下回動自在に取付ける。
【００３６】
また、前記連結手段３の受部材３６を装置本体１の幅方向一方側に設けると共に、幅方向他方側にブラケットを設け、このブラケットと受部材３６とに亘って放出体２を上下回転自在に取付けるようにしても良い。
また、前記放出体２を幅方向に２分割し、装置本体１の幅方向中央部に前記受部材３６を設けると共に、幅方向両側方に一対のブラケットを設け、このブラケットと受部材３６との間に放出体２を上下回動自在にそれぞれ取付けるようにしても良い。
【００３７】
また、前記連結手段３は図８、図９に示すようにしても良い。すなわち、前記受部材３６を装置本体１に一対設け、その対向した端面３６ａに孔３５をそれぞれ形成する。
前記放出体２の幅を一対の受部材３６の対向した端面３６ａ間の寸法と同様とする。
この放出体２の流入口２０側の端面２ｂを閉塞し、左右の縦板２４に孔３８を形成して流入口２０とする。
この孔３８を、前記受部材３６の孔３５のリング状の突部３５ａに回転自在に嵌合して放出体２を一対の受部材３６間に亘って上下回動自在に取付け、装置本体１の吐出口１２が孔３５、孔３８（流入孔２０）を経て常時放出体２の流通路２ａに連通するようにする。
【００３８】
この実施の形態では、装置本体１の受部材３６と反対側にストッパ部１ｄを設け、放出体２を収納姿勢とした時にストッパ１ｄと当接し、その放出体２と薬剤１４の上面との間に隙間が生じるようにしてある。
【００３９】
前記連結手段３は装置本体１と放出体２に一体的に設けたものとしても良い。
例えば、図１０〜図１２に示すように装置本体１の上面板１６に吐出口１２を形成し、その吐出口１２の開口縁に、幅方向一対の第１立上り板４０，４０と長手方向一対の第２立上り板４１，４１を矩形状に連続して設ける。
前記一対の第１立上り板４０に透孔４２をそれぞれ形成する。
前記放出体２の流入口側に円弧状の取付部５０を形成する。
この取付部５０は、左右の縦板２４と連続したほぼ円形の縦片５１と、この左右の縦片５１を連続して流入口２０を閉塞する円弧状の端面板５２を有し、その端面板５２に開口部５３を形成して流入口２０とすると共に、各縦片５１に円形の凹部５４を形成する。
【００４０】
前記放出体２の取付部５０を装置本体１の吐出口１２内に嵌め込み、軸４３を透孔４２から凹部５４に嵌合して放出体２を装置本体１に上下回動自在に取付けると共に、吐出口１２が取付部５０で閉塞されるようにする。
例えば、縦片５１が第１立上り板４０の内面に接し、端面板５２が一対の第２立上り板４１に接する。なお、一対の第２立上り板４１における端面板５２が接する部分を前記軸４３を中心とする円弧状とすることが好ましい。
【００４１】
そして、放出体２を図１１に示すように収納姿勢に回動すると、端面板５２の開口部５３（流入口２０）が外部と吐出口１２に連通し、吐出口１２が外部に連通すると共に、流通路２ａにも連通する。
また、放出体２を図１２に示すように縦向きの張り出し姿勢とすると、端面板５２の開口部５３が一対の第２立上り板４１で外部と遮断され、吐出口１２は開口部５３（流入口２０）にのみ連通する。
【００４２】
また、前記端面板５２の開口部５３の形状を図１３に示すようにすることで、放出体２が図１３（ａ）に示すように収納姿勢の時には開口部５３が吐出口１２にのみ連通し、放出体２が図１３（ｂ）に示すように縦向きの張り出し姿勢の時にも開口部５３が吐出口１２にのみ連通する。
【００４３】
前記放出体２の形状は、流入口２０側が幅広で、流出口２１側が幅狭い形状としても良いし、流入口２０側が幅狭で、流出口２１側が幅広い形状としても良い。
また、放出体２の流出口２１側の先端面の平面形状は、直線状であるが、円弧形状、Ｖ字形状としても良いし、左右の縦板２４にＶ字状の切欠きを形成しても良い。
【００４４】
前記薬剤１４は装置本体１に取付けしたが、その薬剤１４をファン１３に取付け、ファン１３とともに薬剤１４が回転するようにしても良い。
例えば、図１４に示すようにファン１３の表面上に薬剤１４を取付ける。
この場合には、装置本体１の上面にはファン収容室１ｂと電池収容室１ｃに開口した開口部１ｅが形成され、この開口部１ｅを蓋体１ｆで開閉自在としてある。
これによって、蓋体１ｆを外すことで薬剤１４、電池１５を交換できる。
また、装置本体１の上面板１６に薬剤１４を取付けないので、上面板１６と放出体２の第１横板２２との間に隙間を形成しなくとも良い。
前記薬剤１４のファン１３への取付けとして、薬剤１４をファン１３の表面上に取付ける以外に、薬剤１４をファン１３の内周面や外周面に取付ける、またはファン１３をモータから取り外して、そのファン１３に薬剤１４を取付けて再びモータに取付ける、などが挙げられる。また、薬剤を含有したファンとしてモータに取付けるようにもできる。
【図面の簡単な説明】
【００４５】
【図１】本発明の第１の実施の形態を示す収納姿勢の平面図である。
【図２】本発明の第１の実施の形態を示す収納姿勢の断面図である
【図３】本発明の第１の実施の形態を示す張り出し姿勢の平面図である。
【図４】本発明の第１の実施の形態を示す張り出し姿勢の断面図である。
【図５】連結手段の第２の実施の形態を示す断面図である。
【図６】連結手段の第３の実施の形態を示す分解斜視図である。
【図７】連結手段の第３の実施の形態を示す取付け状態の断面図である。
【図８】本発明の第２の実施の形態を示す収納状態の斜視図である。
【図９】図８のＡ−Ａ断面図である。
【図１０】本発明の第３の実施の形態を示す分解斜視図である。
【図１１】本発明の第３の実施の形態を示す収納姿勢の断面図である。
【図１２】本発明の第３の実施の形態を示す張り出し姿勢の断面図である。
【図１３】本発明の第４の実施の形態を示す断面図である。
【図１４】本発明の第５の実施の形態を示す断面図である。
【符号の説明】
【００４６】
１…装置本体、２…放出体、３…連結手段、１１…吸込口、１２…吐出口、１３…ファン、１４…薬剤、２０…流入口、２１…流出口。
【図１】
2008220267.tif 000003
【図２】
2008220267.tif 000004
【図３】
2008220267.tif 000005
【図４】
2008220267.tif 000006
【図５】
2008220267.tif 000007
【図６】
2008220267.tif 000008
【図７】
2008220267.tif 000009
【図８】
2008220267.tif 000010
【図９】
2008220267.tif 000011
【図１０】
2008220267.tif 000012
【図１１】
2008220267.tif 000013
【図１２】
2008220267.tif 000014
【図１３】
2008220267.tif 000015
【図１４】
2008220267.tif 000016